(57)【要約】      （修正有）【課題】自動車用シートに悪臭の原因となる汗・皮脂油・雑菌を付着させることなく、車内を清潔な状態に保つことができるシートカバーを提供する。【解決手段】シートカバーは、自動車用シートの背もたれ前表面を覆う略長方形の形状であり、使い捨て可能な自動車用のシートカバー１とする。当該シートカバーが下方へずり落ちないように、前記自動車用シートのヘッドレスト脚部に固定する上方固定部１０と、前記上方固定部に繋がる胴体部１６とを有する。さらに、前記胴体部と繋がり、当該シートカバーの下部の位置がずれないように、前記自動車シートの座面と前記背もたれとの接続部位に押し込んだ状態で固定する下方固定部２４と、を有し、前記胴体部を、水分を透過させる表面シートと、前記表面シートを透過した水分を吸収する吸収体と、水分を透過させない裏面シートとにより形成する。【選択図】図１
0003179049.tif 000002
【実用新案登録請求の範囲】
【請求項１】
自動車用シートの背もたれ前表面を覆う略長方形の形状であり、使い捨て可能な自動車用のシートカバーであって、
当該シートカバーが下方へずり落ちないように、当該シートカバーを前記自動車用シートのヘッドレスト脚部に固定する上方固定部と、
前記上方固定部に繋がる胴体部と、
前記胴体部と繋がり、当該シートカバーの下部の位置がずれないように、前記自動車シートの座面と前記背もたれとの接続部位に押し込んだ状態で固定する下方固定部と、を有し、
前記胴体部が、
水分を透過させる表面シートと、
前記表面シートを透過した水分を吸収する吸収体と、
水分を透過させない裏面シートと、を有することを特徴とするシートカバー。
【請求項２】
当該シートカバーの上辺に、当該シートカバーの上辺が弛み無く伸びた状態を維持させるための形状固定具を有することを特徴とする請求項１に記載のシートカバー。
【請求項３】
前記下部固定部が、前記シートカバーの下部の位置ずれを起き難くするために、前記胴体部に比べ厚くなっている突起部を有することを特徴とする請求項１又は２に記載のシートカバー。
【考案の詳細な説明】
【技術分野】
【０００１】
自動車着席時背中にかく汗を吸収する、使い捨て可能な自動車用シートのシートカバーの技術に関する。
【背景技術】
【０００２】
自動車用シートの表面は、天然革地、合成革地、布地のものが有るが、布地シートの占める割合が圧倒的に高い。それは、布地シートがコスト面で優れているということの他、耐久性が高い、経年劣化の程度が低い、運転時の滑り難さに勝るなどの点で、他の材質のものに比べ優位性が高いからである。
【０００３】
一方、布地の自動車用シートは、座る人の汗や皮脂油を吸収し易いという特徴を持ち合わせており、シートに吸収された汗・皮脂油に由来する雑菌の繁殖が、車内の悪臭の原因となることもある。また、布地の自動車用シートは、肌理が細かいため、シートの清掃をしたとしても、悪臭の原因である雑菌や汗・皮脂油などの汚れを完全に取り除くことは困難である。
【０００４】
そのような中、従来、自動車用シートへ霧状の消臭剤を散布したり、消臭剤を車内に定常的に設置したりする応急処置が施され、自動車内の悪臭は、化学的なアプローチによって抑制されているというのが現状である。
【考案の概要】
【考案が解決しようとする課題】
【０００５】
しかしながら、上記のようなアプローチでは、自動車用シートに付着した雑菌・汗・皮脂油などの臭い原因物質を取り除くことにはならず、また、上記処置から一定期間後には悪臭が再発生する恐れもあり、根本的な事態の解決にはなっていないという問題点がある。
【０００６】
また、上記のようなアプローチでは、自動車内に化学物質が定常的に浮遊するという事態を招き、自動車の利用者の体調に悪影響を及ぼす可能性が否定できないという問題点もある。
【０００７】
そこで本考案では、上記問題点に鑑み、自動車用シートに悪臭の原因となる汗・皮脂油・雑菌を付着させることなく、車内を清潔な状態に保つと共に、シート形状に関わらず適用できる自動車用のシートカバーを提案することを目的とする。
【課題を解決するための手段】
【０００８】
開示するシートカバーの一形態は、自動車用シートの背もたれ前表面を覆う略長方形の形状であり、使い捨て可能な自動車用のシートカバーであって、当該シートカバーが下方へずり落ちないように、前記自動車用シートのヘッドレスト脚部に固定する上方固定部と、前記上方固定部に繋がる胴体部と、前記胴体部と繋がり、当該シートカバーの下部の位置がずれないように、前記自動車シートの座面と前記背もたれとの接続部位に押し込んだ状態で固定する下方固定部と、を有し、前記胴体部が、水分を透過させる表面シートと、前記表面シートを透過した水分を吸収する吸収体と、水分を透過させない裏面シートと、を有することを特徴とする。
【０００９】
また、開示するシートカバーの一形態は、上記構成に加え、当該シートカバーの上辺に、当該シートカバーの上辺が弛み無く伸びた状態を維持させるための形状固定具を有することを特徴とする。
【００１０】
また、開示するシートカバーの一形態は、上記構成に加え、前記下部固定部が、前記シートカバーの下部の位置ずれを起き難くするために、前記胴体部に比べ厚くなっている突起部を有することを特徴とする。
【考案の効果】
【００１１】
開示するシートカバーは、自動車用シートに悪臭の原因となる汗・皮脂油・雑菌を付着させることなく、車内を清潔な状態に保つと共に、シート形状に関わらず適用することができる。
【図面の簡単な説明】
【００１２】
【図１】本実施の形態に係る自動車用シートカバーの全体を示す図である。
【図２】本実施の形態に係る上方固定部の拡大正面図である。
【図３】本実施の形態に係る胴体部の拡大断面図である。
【図４】本実施の形態に係る下方固定部の拡大側面図である。
【図５】自動車用シートの一例を示す図である。
【図６】本実施の形態に係る自動車用シートカバーを装着した状態を示す図である。
【考案を実施するための形態】
【００１３】
図面を参照しながら、本考案を実施するための形態について説明する。
（本実施の形態に係るシートカバーの構造）
【００１４】
図１乃至４を用いて、本実施の形態に係るシートカバー１の構造について説明する。図１で示すように、シートカバー１は、上方固定部１０、胴体部１６、下方固定部２４を有する。そして、上方固定部１０は、形状固定具１２、紐部材１４を有し、胴体部１６は、表面シート１８、吸水体２０、裏面シート２２を有し、下方固定部２４は、突起部２６を有する。
【００１５】
シートカバー１は、自動車用シート２の背もたれ６の前表面を覆うように装着させて使用され、略長方形の形状である。なお、シートカバー１の略長方形の形状は、例えば、中央部付近に絞りを入れた（中央部付近の幅を狭くした）形状も含むものとし、おおよそ長方形の形状をしていれば良い。そして、シートカバー１は、１週間程度の使用の後、新しいものと取り替え、使用済みのものは捨てる使用方法を前提に考えられている。
【００１６】
上方固定部１０は、自動車用シート２のヘッドレスト４の脚部（自動車用シート２）に、シートカバー１を固定する部位である。上方固定部１０がヘッドレスト４の脚部に固定される手段は、図１及び図２で示すように紐部材１４で結び付ける形態であっても良く、クリップなどで引っ掛ける形態であっても良い。つまり、シートカバー１を背もたれ６に装着したときに、シートカバー１が下方へ落下しないようにする機能を果たす限り、上方固定部１０がヘッドレスト４の脚部に固定される手段は問わない。
【００１７】
図２で示すように、形状固定具１２は、シートカバー１の上辺を横断するように設置され、シートカバー１の上辺の形状を固定する骨組みの役割を果たす部位である。形状固定具１２は、プラスチックのようにある程度の強度を有する材料で構成されることが好適である。また、形状固定具１２は、表面から目視できないようにシートカバー１の内側に設置される形態であっても良く、シートカバー１の表面に設置される形態でも良い。
【００１８】
胴体部１６は、上方固定部１０に繋がる部位であり、ドライバーなど搭乗者がかく汗を吸収し保持する役割を果たす部位である。図３で示すように、胴体部１６は、不織布などからなる透液性の表面シート１８と、ポリエチレン等からなる裏面シート２２との間に、綿状パルプ等の繊維集合体と高吸収性ポリマー等の高吸収材などからなる吸収体２０を介在させた構造とされ、汗などの水分を吸収保持する。
【００１９】
表面シート１８は、有孔又は無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、ＳＭＳ法、サーマルボンド法、エアスルー法、ポイントボンド法、メルトブローン法、ニードルパンチ法等の適宜の加工法によって得られた不織布を用いることができる。特には、スパンボンド法やＳＭＳ法により加工された不織布は、薄さと強度のバランスに優れ、エアスルー法により加工された不織布は低坪量でも吸収が速やかでかつドライタッチ性に優れる。これらは一層からなるシートでも二層以上（同一種類あるいは複数種類）からなるシートでも良い。表面シート１８に多数の透孔を形成した場合には、汗などが速やかに吸収されるようになり、ドライタッチ性に優れたものとなる。
【００２０】
吸水体２０は、表面シート１８及び裏面シート２２の間に介在するものであり、汗などの水分を吸収し保持する。吸収体２０は、水分を吸収し保持する機能を発揮すれば、材料を限定するものではないが、例えば、綿状粉砕されたフラッフ状繊維と、液体を吸収しゲル状に固化させる吸収性ポリマーとが混合された材料をシート状に形成し、厚み方向上方および下方からティッシュで挟むことによって形成される。吸収性ポリマーは、たとえばデンプン‐アクリル酸（塩）グラフト共重合体のケン化物、ナトリウムカルボキシメチルセルロースの架橋物、アクリル酸（塩）重合体などを用いることできる。吸収体２０は、表面シート１８及び裏面シート２２とほぼ全面にわたって接触する。
【００２１】
裏面シート２２は、ポリエチレン又はポリプロピレンなどの不透液性プラスチックシートを用いても良く、ムレ防止の点から透湿性を有するものを用いても良い。この遮水・透湿性シートは、例えば、ポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００２２】
下方固定部２４は、胴体部１６に繋がる部位であり、自動車用シート２の背もたれ６と座面８との接続部位に押し込み、挟み込ませるようにして、シートカバー１の下部の位置を固定する役割を果たす部位である。
【００２３】
図４で示すように、突起部２６は、シートカバー１の下端部に設置され、シートカバー１の他の部位に比べ厚くなっている部位であり、所謂、突起状になっている部位である。突起部２６は、シートカバー１の下端部を横断するように配置される形態であっても良く、1つ以上の突起物が下端部に沿って点在する形態であっても良い。突起部２６は、下方固定部２４を背もたれ６と座面８との接続部位に押し込んで挟み込ませるとき、引っ掛かりを良くし、固定力を高め、シートカバー１の下部の位置ずれを起こり難くする役割を果たす。
（本実施の形態に係るシートカバーの使用方法）
【００２４】
図５及び６を用いて、シートカバー１の使用方法について説明する。図５は、自動車用シート２の一例を図示したものであり、図６は、シートカバー１を自動車用シート２に装着させた状態を図示したものである。
【００２５】
図６で示すように、シートカバー１は、図５で示す自動車用シート２の前面に装着して使用する。第一の手順として、使用者は、シートカバー１を自動車用シート２の前面に配置する。
第二の手順として、使用者は、紐部材１４をヘッドレスト４の脚部に結び付けるなどすることによって、上方固定部１０を背もたれ６の上部に固定する。
【００２６】
第三の手順として、使用者は、下方固定部２４を、背もたれ６及び座面８の接続部位に潜り込ませることによって、下方固定部２４を背もたれ６の下部に固定する。
第四の手順として、使用者は、自動車用シート２に座り、シートカバー１に背中を接触させた状態で自動車の運転を行う。
【００２７】
第五の手順として、使用者は、例えば、シート装着から一週間経過したところで、上方固定部１０及び下方固定部２４を固定場所から取り外すと共に、第一の手順乃至第三の手順に従って新しいシートカバー１を自動車用シート２に装着する。
（総括）
【００２８】
シートカバー１は、略長方形という極めて単純な形状をしているので、どの様な形状の自動車用シート２であっても適用することができる。また、シートカバー１は、背もたれ６の全面を覆うのではなく、搭乗者の背中が当たる部分である背もたれ６の中央部を覆う形態であるため、どの様な形状の自動車用シート２であっても適用することができる。
シートカバー１は、使い捨ての使用形態を想定しているので、非常に衛生的である。
シートカバー１は、布地の自動車用シート２に比べ、搭乗者の背中が当たる部分の通気性が良いため、制汗作用も期待することができる。
【００２９】
シートカバー１は、原理的に化学物質を気化させることが無く、車内に化学物質を浮遊させることが無いため、化学物質が人体へ与える影響の面からも安全である。
【００３０】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００３１】
１  自動車用のシートカバー
２  自動車用シート
４  自動車用シートのヘッドレスト
６  自動車用シートの背もたれ
８  自動車用シートの座面
１０  上方固定部
１２  形状固定具
１４  紐部材（ヘッドレスト４脚部に上方固定部１０を固定する部材）
１６  胴体部
１８  表面シート
２０  吸収体
２２  裏面シート
２４  下方固定部
２６  突起部
【図１】
0003179049.tif 000003
【図２】
0003179049.tif 000004
【図３】
0003179049.tif 000005
【図４】
0003179049.tif 000006
【図５】
0003179049.tif 000007
【図６】
0003179049.tif 000008